(57)【特許請求の範囲】
【請求項１】
被写体を撮像して画像を取得する撮像部と、
前記撮像部で取得した画像を記録媒体に記録する記録制御部と、
広告情報を取得する広告取得部と、
前記広告情報の記録条件をユーザの操作に応じて設定する設定部と、を備え、
前記記録制御部は、前記設定部により設定された記録条件を満たしたときに、前記広告情報を前記記録媒体に記録することを特徴とする電子カメラ。
【請求項２】
請求項１に記載の電子カメラにおいて、
前記記録制御部は、前記撮像部が前記被写体を撮像する際に前記広告取得部により取得された広告情報を、前記画像と共に前記記録媒体に記録することを特徴とする電子カメラ。
【請求項３】
請求項２に記載の電子カメラにおいて、
前記記録制御部は、前記撮像部が前記被写体を撮像した一連の画像を取得する際には、前記広告情報を前記一連の画像の前または後のいずれか一方または両方に続けて記録することを特徴とする電子カメラ。
【請求項４】
請求項３に記載の電子カメラにおいて、
前記撮像部は、連続撮影またはパノラマ撮影を行うことにより、前記一連の画像を取得することを特徴とする電子カメラ。
【請求項５】
請求項１に記載の電子カメラにおいて、
前記記録媒体に記録する前記広告情報は、前記画像と同じ付加情報を有することを特徴
とする電子カメラ。
【請求項６】
請求項１〜５のいずれか一項に記載の電子カメラにおいて、
前記記録制御部は、該電子カメラの電源がオンまたはオフされたときに前記広告取得部により取得された広告情報を、前記画像と共に前記記録媒体に記録することを特徴とする電子カメラ。
【請求項７】
請求項１〜６のいずれか一項に記載の電子カメラにおいて、
前記広告取得部は、前記撮影部が前記被写体を撮像したときの状況に応じた前記広告情報を取得することを特徴とする電子カメラ。
【請求項８】
請求項７に記載の電子カメラにおいて、
前記広告情報は、日時情報、位置情報または天気情報のいずれか少なくとも一つを含むことを特徴とする電子カメラ。
【請求項９】
請求項１〜８のいずれか一項に記載の電子カメラにおいて、
前記広告取得部は、前記広告情報として広告画像を取得し、
前記記録制御部は、前記広告画像と前記画像とを異なる解像度で前記記録媒体に記録することを特徴とする電子カメラ。
【請求項１０】
請求項１〜９のいずれか一項に記載の電子カメラにおいて、
前記記録制御部は、所定のフラグ情報を付けて前記広告情報を前記記録媒体に記録することを特徴とする電子カメラ。
【請求項１１】
請求項１〜１０のいずれか一項に記載の電子カメラにおいて、
前記撮像部の位置または向きのいずれか一方または両方を検出する検出部と、
前記検出部により検出された位置または向きのいずれか一方または両方に基づいて広告情報を検索する検索部と、をさらに備え、
前記広告取得部は、前記検索部により検索された広告情報を取得することを特徴とする電子カメラ。
【発明の詳細な説明】
【技術分野】
【０００１】
本発明は、電子カメラに関する。
【背景技術】
【０００２】
従来、撮影前の被写体像確認用のライブビュー画像や、撮影済みの再生画像などを表示する液晶ディスプレイ等の表示装置を備えたデジタルカメラにおいて、これらの画像に加えて広告の表示を行うものが知られている（特許文献１参照）。
【０００３】
【特許文献１】特開２００３−４３９６６号公報
【発明の開示】
【発明が解決しようとする課題】
【０００４】
特許文献１に開示されるデジタルカメラでは、予めＲＯＭに記録された広告データを用いて広告の表示を行う。したがって、新たに広告情報を取得したり、広告情報を撮影画像と共に記録したりすることができない。
【課題を解決するための手段】
【０００５】
請求項１の発明による電子カメラは、被写体を撮像して画像を取得する撮像部と、撮像部で取得した画像を記録媒体に記録する記録制御部と、広告情報を取得する広告取得部と、広告情報の記録条件をユーザの操作に応じて設定する設定部と、を備え、記録制御部は、設定部により設定された記録条件を満たしたときに、広告情報を記録媒体に記録するものである。
請求項２の発明は、請求項１に記載の電子カメラにおいて、記録制御部は、撮像部が被写体を撮像する際に広告取得部により取得された広告情報を、画像と共に記録媒体に記録するものである。
請求項３の発明は、請求項２に記載の電子カメラにおいて、記録制御部は、撮像部が被写体を撮像した一連の画像を取得する際には、広告情報をその一連の画像の前または後のいずれか一方または両方に続けて記録するものである。
請求項４の発明は、請求項３に記載の電子カメラにおいて、撮像部は、連続撮影またはパノラマ撮影を行うことにより、一連の画像を取得するものである。
請求項５の発明は、請求項１に記載の電子カメラにおいて、記録媒体に記録する広告情報は、画像と同じ付加情報を有するものである。
請求項６の発明は、請求項１〜５のいずれか一項に記載の電子カメラにおいて、記録制御部は、電子カメラの電源がオンまたはオフされたときに広告取得部により取得された広告情報を、画像と共に記録媒体に記録するものである。
請求項７の発明は、請求項１〜６のいずれか一項に記載の電子カメラにおいて、広告取得部は、撮影部が被写体を撮像したときの状況に応じた広告情報を取得するものである。
請求項８の発明は、請求項７に記載の電子カメラにおいて、広告情報は、日時情報、位置情報または天気情報のいずれか少なくとも一つを含むものである。
請求項９の発明は、請求項１〜８のいずれか一項に記載の電子カメラにおいて、広告取得部は、広告情報として広告画像を取得し、記録制御部は、広告画像と画像とを異なる解像度で記録媒体に記録するものである。
請求項１０の発明は、請求項１〜９のいずれか一項に記載の電子カメラにおいて、記録制御部は、所定のフラグ情報を付けて広告情報を記録媒体に記録するものである。
請求項１１の発明は、請求項１〜１０のいずれか一項に記載の電子カメラにおいて、撮像部の位置または向きのいずれか一方または両方を検出する検出部と、検出部により検出された位置または向きのいずれか一方または両方に基づいて広告情報を検索する検索部とをさらに備え、広告取得部は、検索部により検索された広告情報を取得するものである。
【発明の効果】
【０００６】
本発明によれば、広告情報を取得し、撮影画像と共に記録することができる。
【発明を実施するための最良の形態】
【０００７】
以下に図面を用いて本発明の電子カメラについて説明する。図１は、本発明の一実施形態によるデジタルカメラを含むカメラシステムの構成図である。図１に示すカメラシステムは、デジタルカメラ１、アクセスポイント２およびサーバ装置３によって構成される。アクセスポイント２とサーバ装置３は、インターネットを介して接続されている。
【０００８】
デジタルカメラ１は、ユーザの撮影指示に応じて被写体を撮影し、撮影画像情報を取得する電子カメラである。また、デジタルカメラ１は、アクセスポイント２と無線通信を行うための無線通信機能を有している。この無線通信により、アクセスポイント２およびインターネットを介して、デジタルカメラ１とサーバ装置３が接続される。なお、デジタルカメラ１の構成については、後で図２および図３を用いて詳細に説明する。
【０００９】
アクセスポイント２は、デジタルカメラ１を含む無線通信機能を備えた各種の機器がインターネット等のネットワークを利用して通信できるようにするための装置である。デジタルカメラ１とアクセスポイント２が無線通信を行うことにより、前述のようにデジタルカメラ１とサーバ装置３が接続される。
【００１０】
サーバ装置３は、広告データベースと呼ばれる情報のデータベースを格納している。この広告データベースには、様々な広告情報が位置と関連付けてそれぞれ記録されている。たとえば、画像と音声を組み合わせた広告情報が、ある一定範囲の位置に対応して広告データベースに記録されている。
【００１１】
次に、デジタルカメラ１の構成について説明を行う。図２は、デジタルカメラ１の外観を示す図である。図２の外観図において、デジタルカメラ１は、シャッターボタン１１、電源ボタン１２、ズームボタン１３、再生ボタン１４、メニューボタン１５、削除ボタン１６、ジョグダイヤル１７、決定ボタン１８、ＬＡＮ（Local Area Network）アクセス用ＬＥＤ（Light Emitting Diode）１９、ストロボ充電用ＬＥＤ２０、ＡＦ（Auto Focus）用ＬＥＤ２１、メモリアクセス用ＬＥＤ２２、電源用ＬＥＤ２３およびモニタ１０４を備える。
【００１２】
シャッターボタン１１は、ユーザがデジタルカメラ１に対して撮影の指示などを行うための操作ボタンであり、半押し、全押しの２段階のスイッチを有する。電源ボタン１２は、ユーザがデジタルカメラ１のメイン電源をオンからオフに、またはオフからオンに切り替えるための操作ボタンである。ズームボタン１３は、ユーザがデジタルカメラ１の撮影レンズの焦点距離を変化させる際などに使用する操作ボタンである。
【００１３】
再生ボタン１４は、ユーザがデジタルカメラ１に画像データの再生指示などを行うための操作ボタンである。メニューボタン１５は、ユーザがデジタルカメラ１に対してメニュー画面の呼び出し指示などを行うための操作ボタンである。削除ボタン１６は、ユーザがデジタルカメラ１に装填されたメモリカードから画像データを削除する際などに用いられる操作ボタンである。
【００１４】
ジョグダイヤル１７は、画面中のカーソルの移動指示などをユーザが行うための回転可能な操作部材である。決定ボタン１８は、ユーザがメニュー画面において設定内容の決定などを行うための操作ボタンである。
【００１５】
ＬＡＮアクセス用ＬＥＤ１９は、デジタルカメラ１がアクセスポイント２と無線通信を行っているときなどに点灯する表示装置である。ＬＡＮアクセス用ＬＥＤ１９が点灯することにより、デジタルカメラ１が通信中であることをユーザに知らせることができる。ストロボ充電用ＬＥＤ２０は、ストロボの充電中に点灯する表示装置である。ストロボ充電用ＬＥＤ２０が撮影前に点灯することにより、ストロボ充電中であり撮影準備が完了していないことをユーザに知らせることができる。
【００１６】
ＡＦ用ＬＥＤ２１は、ＡＦの合焦状態をユーザに知らせるための表示装置である。メモリアクセス用ＬＥＤ２２は、メモリアクセス状態のとき、すなわち、デジタルカメラ１に装填されたメモリカードにデータを書き込んでいるとき、および、メモリカードからデータを読み込んでいるときに点灯する表示装置である。電源用ＬＥＤ２３は、デジタルカメラ１が電源投入状態のときに点灯する表示装置である。
【００１７】
モニタ１０４は、ＬＣＤ（Liquid Crystal Display）等を用いたカラー表示装置であり、各種の画像を表示する。たとえば、モニタ１０４がスルー画像を表示することにより、モニタ１０４は撮影時のビューファインダとして用いられる。なお、スルー画像（スルー画）とは、後で説明する撮影モードがデジタルカメラ１において設定されているときに、リアルタイムでモニタ１０４に表示される被写体の撮影画像である。さらに、モニタ１０４は、撮影画像の再生表示や、メニュー画面の表示等を行うこともできる。
【００１８】
図３は、デジタルカメラ１のブロック図である。このブロック図に示すように、デジタルカメラ１は、ＣＰＵ１０１、圧縮／伸張回路１０２、表示ドライバ１０３、モニタ１０４、キー入力部１０５、無線ＬＡＮ回路１０６、ＧＰＳ（Global Positioning System）センサ１０７、モーションセンサ１０８、コンデンサ１０９、バッテリ１１０、ストロボ１１１、ＣＣＤ（Charge Coupled Device）ドライバ１１２、ＣＣＤ１１３およびメモリ１１４を有している。また、記録媒体であるメモリカード１１５が不図示のカードスロットに装填されている。
【００１９】
ＣＰＵ１０１は、様々な処理や制御を実行するための回路であり、マイコン等を用いて構成される。圧縮／伸張回路１０２は、撮影画像データの圧縮／伸張を行う回路である。表示ドライバ１０３は、モニタ１０４に表示する映像をコントロールする駆動回路である。キー入力部１０５は、デジタルカメラ１に設けられたボタン、スイッチ、ダイヤル等の操作を検出する回路である。
【００２０】
無線ＬＡＮ回路１０６は、無線で外部機器と通信するための通信回路である。この無線ＬＡＮ回路１０６によってアクセスポイント２との間で無線通信を行うことにより、デジタルカメラ１がインターネットを介してサーバ装置３に接続される。
【００２１】
ＧＰＳセンサ１０７は、ＧＰＳ衛星から送信されるＧＰＳ信号を受信し、ＣＰＵ１０１へ出力する。このＧＰＳ信号に基づいて、ＣＰＵ１０１においてデジタルカメラ１の現在位置が検出される。モーションセンサ１０８は、デジタルカメラ１の姿勢変化を、ピッチ、ヨー、ロールの各方向について検出する。なお、デジタルカメラ１において光軸を水平方向に向けたときに、ピッチ方向の姿勢変化は、その光軸と水平に直交する軸回りの姿勢変化、すなわち仰角の変化を表し、ヨー方向の姿勢変化は、その光軸と垂直に直交する軸回りの姿勢変化、すなわち方位角の変化を表している。また、ロール方向の姿勢変化は、光軸回りの姿勢変化、すなわちデジタルカメラ１の傾きの変化を表している。
【００２２】
コンデンサ１０９は、バッテリ１１０からの電力を受けて充電し、ストロボ１１１の発光に使用する。また、緊急時のバックアップ電源としてカメラの駆動に使用する。バッテリ１１０は、デジタルカメラ１を動作させるために必要な電力を供給するリチウムイオン充電池等の電源である。
【００２３】
ストロボ１１１は、被写体に補助光を照射することにより暗い環境でも撮影を可能にする。ＣＣＤドライバ１１２は、ＣＣＤ１１３を駆動するための回路である。ＣＣＤ１１３は、撮影レンズを介した被写体像を撮像するための撮像素子である。ＣＣＤ１１３によって被写体像が撮像されると、ＣＣＤ１１３からＣＣＤドライバ１１２へ撮像信号が出力される。この撮像信号は、ＣＣＤドライバ１１２において撮像画像データに変換された後、ＣＰＵ１０１へ出力される。
【００２４】
メモリ１１４は、不揮発性の半導体メモリであり、ＣＰＵ１０１が実行する制御に用いるためのプログラムやデータ等を記憶している。メモリカード１１５は、ＣＰＵ１０１の制御により、デジタルカメラ１によって取得された撮影画像情報など各種の情報が記録される。なお、前述の図１のサーバ装置３と同様に、位置と関連付けられた広告情報をメモリカード１１５に記録してもよい。この場合、サーバ装置３に加えてメモリカード１１５にも広告データベースが格納されていることとなる。
【００２５】
続いて、デジタルカメラ１の動作について説明する。デジタルカメラ１は、撮影画像を取得するための撮影モードなどの様々な動作モードをユーザの操作に応じて設定することができる。
【００２６】
撮影モードが設定されている場合、デジタルカメラ１は、被写体の撮影を行う前には、ＣＣＤ１１３によって撮像された被写体の像に基づいて、前述したようにスルー画像を取得し、モニタ１０４に表示する。
【００２７】
上記のようにしてスルー画像を表示する際、デジタルカメラ１は、サーバ装置３またはメモリカード１１５に格納された広告データベースから、所定の検索条件を満たす広告情報を検索して抽出する。なお、サーバ装置３の広告データベースから抽出された広告情報は、インターネットおよびアクセスポイント２を介してデジタルカメラ１へ送信される。
【００２８】
デジタルカメラ１は、広告データベースから広告情報を検索する際の検索条件の一つとして、広告情報の検索対象エリアを設定することができる。この検索対象エリアは、ＧＰＳセンサ１０７により受信されたＧＰＳ信号に基づくデジタルカメラ１の現在位置（カメラ位置）と、モーションセンサ１０８により検出されたデジタルカメラ１の姿勢に基づく光軸の向き（カメラ向き）とに基づいて設定される。具体的には、現在のカメラ位置を視点に設定し、その視点からカメラ向きの方向に向かって延びる所定長さのベクトルを視線ベクトルとする。この視線ベクトルを中心とする所定の空間範囲を、検索対象エリアに設定する。なお、視点から離れるほど検索対象エリアを広くなるように設定する。または、その逆のどちらでも良い。
【００２９】
上記の検索対象エリアの設定において、水平方向のカメラ向き、すなわち方位角のみを利用してもよい。すなわち、水平方向については所定の空間範囲を検索対象エリアとし、垂直方向については全空間範囲を検索対象エリアに含めることができる。あるいは、水平方向のカメラ向きに加えて、垂直方向のカメラ向き、すなわち仰角も利用して、水平方向と垂直方向のそれぞれについて所定の空間範囲を検索対象エリアに設定してもよい。さらに、カメラ向きを利用せず、カメラ位置のみに基づいて検索対象エリアを設定するようにしてもよい。すなわち、現在のカメラ位置を中心とする所定の範囲を検索対象エリアに設定してもよい。
【００３０】
以上説明したような検索条件がデジタルカメラ１において設定されると、その検索条件を満たす広告情報が、サーバ装置３またはメモリカード１１５に格納された広告データベースから抽出される。すなわち、検索条件として設定された検索対象エリア内の位置に関連付けられた広告情報が、広告データベースから検索されて抽出される。このとき、最初にメモリカード１１５の広告データベースを検索し、該当する広告情報が抽出されなかった場合は、サーバ装置３の広告データベースを検索するようにしてもよい。あるいは、メモリカード１１５とサーバ装置３の広告データベースを共に検索するようにしてもよい。なお、サーバ装置３の広告データベースを検索する場合には、デジタルカメラ１において設定された検索条件が、アクセスポイント２およびインターネットを介してサーバ装置３へ送信される。また、サーバ装置３の広告データベースから抽出された広告情報は、インターネットおよびアクセスポイント２を介してデジタルカメラ１へ送信される。
【００３１】
デジタルカメラ１は、サーバ装置３またはメモリカード１１５の広告データベースから上記のようにして抽出された広告情報を、スルー画像に重ねてモニタ１０４に表示することができる。これにより、広告データベースから検索されて抽出された広告情報がユーザに対して提示される。なお、抽出した広告情報をスルー画像に重ねて表示しないようにしてもよい。
【００３２】
あるいは、広告データベースに記録された広告情報をデジタルカメラ１のＣＰＵ１０１に入力し、その広告情報をデジタルカメラ１において検索するようにしてもよい。たとえば、デジタルカメラ１の現在位置から所定範囲内に対応する広告情報を広告データベースからデジタルカメラ１へ送信し、デジタルカメラ１において記憶しておく。この広告情報の中から、前述のようにして設定された検索条件を満たす広告情報を検索し、スルー画像と共に表示することとしてもよい。
【００３３】
ところで、広告データベースには、広告主である企業等から予め提供された広告情報が格納される。広告主は、広告データベースの管理者に広告情報の提供を依頼するときに、その広告情報を提供したい地点や地域範囲を指定する。すると、広告データベースの管理者により、広告主から依頼された広告情報が指定された地点や地域範囲の位置情報と共に広告データベースに記録される。これにより、位置と対応付けて広告データベースに広告情報が記録される。このとき、広告情報の有効期限を合わせて設定するようにしてもよい。広告情報の有効期限を設定した場合、有効期限が過ぎた広告情報は広告データベースから自動的に消去される。
【００３４】
広告データベースには、広告情報として、画像情報や動画情報、音声情報、文字情報などを記録しておくことができる。あるいは、これらの情報を複数組み合わせて用いてもよい。デジタルカメラ１において提供可能な形態の情報であれば、どのような情報であってもよい。なお、音声情報をデジタルカメラ１において提供する場合は、デジタルカメラ１に音声出力用のスピーカを備えておくことが好ましい。
【００３５】
以上説明したようにスルー画像に重ねて広告情報が表示されている際に、シャッターボタン１１をユーザが操作して半押し操作を行うと、撮影レンズのピント調節が行われる。なお、スルー画像上に広告情報を表示していた場合は、この半押し操作に応じて広告情報をスルー画像上から消去するようにしてもよい。このようにすることで、撮影前にユーザがピント調節を行って被写体像を確認しているときには、広告情報の表示によって邪魔されないようにすることができる。あるいは、これとは反対に、半押し操作前には広告情報を表示せず、半押し操作時に広告情報を表示してもよい。
【００３６】
上記の半押し操作が行われた後、さらにユーザがシャッターボタン１１を操作して、撮影画像を取得するための全押し操作を行うと、デジタルカメラ１はその全押し操作による撮影指示に応じて、被写体を撮影して撮影画像を取得する。そして、取得した撮影画像の情報をメモリカード１１５に記録する。
【００３７】
撮影画像情報をメモリカード１１５に記録する際、デジタルカメラ１は、撮像時に取得した広告情報を撮影画像情報と共にメモリカード１１５に記録する。この際、広告情報であることを示す所定のフラグ情報を付けて、広告情報をメモリカード１１５に記録するようにしてもよい。このようなフラグ情報を付加することにより、後で広告情報と撮影画像情報とを容易に分離することができる。また、広告画像と撮影画像に同じ付加情報を付加してメモリカード１１５に記録しても良い。この付加情報とは、たとえば、Ｅｘｉｆ形式の撮影情報である。つまり、広告はＥｘｉｆ形式で記録され、その広告が有するＥｘｉｆ形式の撮影情報は、直近（広告を記録する前でも後でも近い方）の画像が有する撮影情報と同一である。
【００３８】
なお、画像による広告情報（広告画像）をメモリカード１１５に記録する場合は、その広告画像を撮影画像情報と異なる解像度で、具体的には広告画像の解像度を撮影画像情報の解像度よりも低くして、記録することが好ましい。このようにすれば、メモリカード１１５の記録容量を節約することができる。
【００３９】
図４は、撮影モードが設定されたときに、主要被写体３０に向けて取得されたスルー画像と広告情報がモニタ１０４において表示されている様子の例を示す図である。シャッターボタン１１が押されていないときには、このように主要被写体３０の像を含むスルー画像に重ねて、デジタルカメラ１の位置や向きに応じて広告データベースから検索された広告情報３１〜３４を表示することができる。
【００４０】
図４において、広告情報３１は文字情報を含む動画情報を、広告情報３２は文字情報を、広告情報３３は文字情報を含む画像情報を、広告情報３４は画像情報をそれぞれ表している。なお、これらの広告情報３１〜３４と共に、必要に応じて音声情報をデジタルカメラ１から出力するようにしてもよい。あるいは、広告情報３１〜３４のうちユーザがジョグダイヤル１７等を操作して選択した広告情報について、デジタルカメラ１から音声情報を出力するようにしてもよい。
【００４１】
次に、広告情報の記録条件について説明する。デジタルカメラ１は、前述した撮影時以外であっても、所定の記録条件を満たしたときに広告情報を取得し、撮影画像情報と共にメモリカード１１５に記録する。この記録条件には、たとえばデジタルカメラ１の電源のオンオフが含まれる。すなわち、デジタルカメラ１の電源がオンされると、そのときに取得された広告情報がメモリカード１１５に記録される。その後、被写体像が撮像されることによって撮影画像が取得されると、その撮影画像情報と共に広告情報が取得され、メモリカード１１５に記録される。さらに、撮影が終了してデジタルカメラ１の電源がオフされると、そのときに取得された広告情報がメモリカード１１５に記録される。
【００４２】
上記のようにして撮影画像情報および広告情報をメモリカード１１５に記録するときの記録タイミングの例を図５に示す。図５では、最初にデジタルカメラ１の電源がオンされると、それに応じて広告情報を記録し、その後に通常の撮影が２回行われると、それに応じて撮影画像情報と広告情報をそれぞれ記録し、最後にデジタルカメラ１の電源がオフされると、それに応じて広告情報を記録している様子を示している。なお、このように電源オンと電源オフの両方のタイミングで広告情報を記録してもよいし、いずれか一方のタイミングのみに応じて広告情報を記録してもよい。
【００４３】
なお、たとえばパノラマ撮影や連続撮影のように一連の撮影画像を取得するための撮影を行うときには、その一連の撮影画像の前後に続けて広告情報を記録するようにしてもよい。その例を図６および７に示す。図６は、パノラマ撮影において撮影画像情報および広告情報をメモリカード１１５に記録するときの記録タイミングの例を示しており、図７は、連続撮影において撮影画像情報および広告情報をメモリカード１１５に記録するときの記録タイミングの例を示している。
【００４４】
図６では、パノラマ撮影が行われると、先ず広告情報を記録し、続けてパノラマ撮影用の撮影画像情報１〜３をそれぞれ記録し、その後に再び広告情報を記録する様子を示している。このときユーザは、デジタルカメラ１の向きを水平に変化させることにより、横長の撮影画像を合成するためのパノラマ撮影用の撮影画像情報１〜３を取得する。なお、パノラマ撮影の際には、ユーザが撮影方向を適切に設定できるような指示をデジタルカメラ１において行うことが好ましい。
【００４５】
一方、図７では、連続撮影が行われると、先ず広告情報を記録し、次に所定の連写間隔で連続して撮影画像情報１〜８をそれぞれ記録し、その後に再び広告情報を記録する様子を示している。このときの連写枚数は、デジタルカメラ１において予め定められていてもよいし、ユーザが設定可能としてもよい。
【００４６】
以上説明したようにして、パノラマ撮影や連続撮影のように一連の撮影画像を取得する際には、その一連の撮影画像の前後に続けて広告情報をメモリカード１１５に記録する。なお、一連の撮影画像の前後両方でなく、前または後のいずれか一方のみに続けて広告情報を記録するようにしてもよい。
【００４７】
以上説明したような広告情報の記録条件を、ユーザの操作に応じて設定することとしてもよい。たとえば、デジタルカメラ１の電源をオンまたはオフしたときには広告情報を記録せず、撮影時のみ広告情報を記録するように、広告情報の記録条件を設定する。あるいは、上記以外の記録条件を設定できるようにしてもよい。たとえば、ユーザが予め広告の種類を指定することにより、該当する広告情報のみを記録するようにする。こうして設定された記録条件を満たしたときに、撮影画像情報と共に広告情報をメモリカード１１５に記録する。このようにすれば、ユーザの意向に沿って広告情報を記録することができる。
【００４８】
さらに、撮影時の状況、すなわちデジタルカメラ１がＣＣＤ１１３により被写体を撮像したときの状況に応じた広告情報を、デジタルカメラ１において取得できるようにしてもよい。たとえば、カレンダー等の日時情報や、撮影地点付近の地図等の位置情報、天気予報等の天気情報などのうち、いずれか少なくとも一つを含む広告情報をデジタルカメラ１において取得し、撮影画像情報と共にメモリカード１１５に記録する。なお、このような広告情報をデジタルカメラ１において取得できるようにするため、サーバ装置３の広告データベースの内容を必要に応じて逐次更新することが好ましい。これにより、撮影時の状況を広告情報として記録しておくことができる。
【００４９】
以上説明したようにして撮影画像情報と共に広告情報を表示する際に実行されるフローチャートを図８に示す。このフローチャートは、ＣＰＵ１０１によって実行される。以下、図８のフローチャートについて説明する。
【００５０】
ステップＳ１０では、ＣＣＤ１１３からの撮像信号に基づく撮影画像データをＣＣＤドライバ１１２から受信して、被写体のスルー画像を取得する。ステップＳ２０では、ステップＳ１０で取得したスルー画像をモニタ１０４に表示する。
【００５１】
ステップＳ３０では、カメラ位置の検出を行う。ここでは、ＧＰＳセンサ１０７によりＧＰＳ信号を受信することで、そのＧＰＳ信号に基づいて、デジタルカメラ１の現在位置を示すカメラ位置を検出する。次のステップＳ４０では、カメラ姿勢の検出を行う。ここでは、モーションセンサ１０８によって検出されたデジタルカメラ１の姿勢変化に基づいて、デジタルカメラ１の現在の向きを示すカメラ向きと、デジタルカメラ１の現在の傾きを示すカメラ傾きとを検出する。
【００５２】
ステップＳ５０では、ステップＳ３０で検出されたカメラ位置と、ステップＳ４０で設定されたカメラ姿勢とに基づいて、前述のような方法により、広告データベースから広告情報を検索する際の検索条件を設定する。すなわち、カメラ位置のみ、またはカメラ位置とカメラ向きの両方に基づいて、広告情報の検索対象エリアを設定する。
【００５３】
ステップＳ６０では、ステップＳ５０で設定された検索条件に基づいて、広告データベースから広告情報の検索を行う。このとき、メモリカード１１５とサーバ装置３のいずれか一方の広告データベースから広告情報を検索してもよいし、両方の広告データベースから広告情報を検索してもよい。ステップＳ７０では、ステップＳ６０で検索された広告情報を広告データベースから抽出する。これにより、検索条件を満たす広告情報が抽出され、デジタルカメラ１のＣＰＵ１０１において取得される。
【００５４】
なお、ステップＳ６０においてサーバ装置３の広告データベースを検索する場合は、前述のように、ステップＳ５０で設定した検索条件をサーバ装置３へ送信するようにしてもよい。あるいは、広告データベースに記録された広告情報をデジタルカメラ１のＣＰＵ１０１に入力し、その広告情報をデジタルカメラ１において検索するようにしてもよい。いずれかの方法で広告データベースから検索された広告情報が、ステップＳ７０において抽出される。
【００５５】
ステップＳ８０では、シャッターボタン１１の操作があったか否かを判定する。シャッターボタン１１の操作によりユーザからの撮影指示があった場合は、次のステップＳ９０へ進む。
【００５６】
ステップＳ９０では、パノラマ撮影または連続撮影のモードが設定されているか否かを判定する。これらの撮影モードが設定されている場合はステップＳ１００へ進み、そうでない場合、すなわち通常の撮影を行う場合はステップＳ１５０へ進む。
【００５７】
ステップＳ１００へ進んだ場合、ステップＳ１００では、ステップＳ７０で広告データベースから抽出して取得した広告情報をメモリカード１１５に記録する。ステップＳ１１０では、ＣＣＤ１１３により被写体を撮像し、撮影画像を取得する。ステップＳ１２０では、ステップＳ１１０で取得した撮影画像情報をメモリカード１１５に記録する。これにより、広告情報が撮影画像情報と共にメモリカード１１５に記録される。
【００５８】
ステップＳ１３０では、パノラマ撮影または連続撮影における撮影枚数として予め設定された所定枚数分の撮影画像情報を既にメモリカード１１５に記録したか否かを判定する。所定枚数を既に記録済みである場合はステップＳ１４０へ進み、ステップＳ１４０において、再び広告情報をメモリカード１１５に記録する。ステップＳ１４０を実行したら、ステップＳ１０へ戻って前述のような処理を繰り返す。なお、所定枚数をまだ記録していない場合は、ステップＳ１１０へ戻って撮影画像の取得を続ける。
【００５９】
一方、ステップＳ９０からステップＳ１５０へ進んだ場合、ステップＳ１５０では、ＣＣＤ１１３により被写体を撮像し、撮影画像を取得する。ステップＳ１６０では、ステップＳ１５０で取得した撮影画像情報と、ステップＳ７０で広告データベースから抽出して取得した広告情報とをメモリカード１１５に記録する。ステップＳ１６０を実行したらステップＳ１０へ戻り、前述のような処理を繰り返す。
【００６０】
以上説明した実施の形態によれば、次の作用効果を奏する。
（１）デジタルカメラ１は、ユーザによるシャッターボタン１１の操作に応じて、ＣＣＤ１１３により被写体を撮像して撮影画像を取得し（ステップＳ１１０、Ｓ１５０）、取得した撮影画像をＣＰＵ１０１の処理によってメモリカード１１５に記録する（ステップＳ１２０、Ｓ１６０）。このときＣＰＵ１０１の処理により、広告情報を取得し（ステップＳ７０）、撮影画像と共にメモリカード１１５に記録する（ステップＳ１００、Ｓ１４０、Ｓ１６０）こととした。このようにしたので、広告情報を取得し、撮影画像と共に記録することができる。
【００６１】
（２）ステップＳ１００、Ｓ１４０およびＳ１６０では、ＣＣＤ１１３が被写体を撮像する際に取得された広告情報を撮影画像と共にメモリカード１１５に記録することとしたので、特別な操作をしなくても撮影するだけで広告情報を記録することができる。
【００６２】
（３）連続撮影またはパノラマ撮影を行うことにより、ＣＣＤ１１３が一連の撮影画像を取得する際には、ＣＰＵ１０１がステップＳ１００およびＳ１４０を実行することで、広告情報をその一連の撮影画像の前または後のいずれか一方または両方に続けて記録することとした。このようにしたので、一連の撮影画像と広告情報とを後から区別しやすいような順序でそれぞれ記録することができる。
【００６３】
（４）なお、デジタルカメラ１は、ＣＰＵ１０１の処理により、その電源がオンまたはオフされたときに取得された広告情報を、撮影画像情報と共にメモリカード１１５に記録することができる。また、広告情報の記録条件をユーザの操作に応じて設定し、設定された記録条件を満たしたときに、取得された広告情報をメモリカード１１５に記録することもできる。このようにすれば、撮影時以外にも適当なタイミングで広告情報を記録することができる。
【００６４】
（５）さらにデジタルカメラ１は、ＣＰＵ１０１の処理により、日時情報、位置情報または天気予報のいずれか少なくとも一つを含む広告情報を、ＣＣＤ１１３により被写体を撮像したときの状況に応じた広告情報として取得することができる。このようにすれば、撮影時の状況を広告情報として記録しておくことができる。さらに、副次的な効果として、広告を利用して画像を探すことができる。
【００６５】
（６）デジタルカメラ１は、ＣＰＵ１０１の処理により、デジタルカメラ１の位置または向き、すなわちＣＣＤ１１３の位置または向きのいずれか一方または両方を検出し（ステップＳ３０、Ｓ４０）、検出した位置または向きのいずれか一方または両方に基づいて、広告データベースから広告情報を検索する（ステップＳ６０）。こうして検索された広告情報をステップＳ７０において抽出することで、広告データベースから広告情報を取得することとした。このようにしたので、ユーザの使用状況に応じた効果的な広告情報を取得することができる。
【００６６】
なお、上記の実施の形態において、縦位置撮影の場合は、カメラの傾きセンサにより縦位置撮影であることを検出し、広告を縦位置表示しても良い。また、撮影時、被写体から人物判定を行い、該当人物のプロファイル情報に適合する広告を記録しても良い。さらにビデオカメラの場合、記録開始または記録終了の前または後に数秒の広告を挿入しても良い。
【００６７】
なお、上記の実施の形態では、電子カメラであるデジタルカメラ１を例に説明したが、他の装置についても本発明を適用可能である。たとえば、カメラ付きの携帯電話などの携帯電子機器に適用することができる。あるいは、撮影を行わないデジタル式の双眼鏡やフィールドスコープなどにおいて、予め広告データベースに記録された広告情報を検索して表示する際に、本発明を適用してもよい。
【００６８】
以上説明した実施の形態や各種の変形例はあくまで一例に過ぎない。したがって、本発明の特徴が損なわれない限り、本発明はこれらの内容に限定されない。
【図面の簡単な説明】
【００６９】
【図１】本発明の一実施の形態によるカメラシステムの構成図である。
【図２】本発明の一実施の形態によるデジタルカメラの外観を示す図である。
【図３】本発明の一実施の形態によるデジタルカメラのブロック図である。
【図４】撮影モードが設定されたときに表示されるスルー画像と広告情報の例を示す図である。
【図５】撮影画像情報および広告情報を記録するときの記録タイミングの例を示す図である。
【図６】パノラマ撮影において撮影画像情報および広告情報を記録するときの記録タイミングの例を示す図である。
【図７】連続撮影において撮影画像情報および広告情報を記録するときの記録タイミングの例を示す図である。
【図８】撮影画像情報と共に広告情報を表示する際の処理の流れを示すフローチャートを示す図である。
【符号の説明】
【００７０】
１：デジタルカメラ
２：アクセスポイント
３：サーバ装置
【図１】
0005292781.tif 000002
【図２】
0005292781.tif 000003
【図３】
0005292781.tif 000004
【図４】
0005292781.tif 000005
【図５】
0005292781.tif 000006
【図６】
0005292781.tif 000007
【図７】
0005292781.tif 000008
【図８】
0005292781.tif 000009